(57)【要約】【課題】被固定部材を固定する固定具が溝内の所望の位置に移動可能であり、かつ一度その位置に配置した後、そこからずれにくくすることができる固定用部材及びそれが用いられている簡易構造物を提供する。【解決手段】蟻溝部２を備えた被固定部材を支持部材に固定する固定具が固定具保持部材１に保持されて形成されている固定用部材Ｐであって、底板部１１から縦壁部１２が２個設けられ、この２個の縦壁部１２を両側から押さえると縦壁部１２が相互に近付き、放すと元に戻り前記蟻溝部２の開口部２１を形成する２個の突部２２にそれぞれの前記縦壁部１２が当接して、前記固定具が蟻溝部２の所望の位置に保持される様になされている固定具保持部材１に、前記固定具が保持されるようにする。【選択図】        図１９
2019143791.tif 000002
【特許請求の範囲】
【請求項１】
蟻溝部を備えた被固定部材を支持部材に固定する固定具が固定具保持部材に保持されて形成されている固定用部材であって、
底板部から縦壁部が２個設けられ、この２個の縦壁部を両側から押さえると縦壁部が相互に近付き、放すと元に戻り前記蟻溝部の開口部を形成する２個の突部にそれぞれの前記縦壁部が当接して、前記固定具が蟻溝部の所望の位置に保持される様になされている固定具保持部材に、前記固定具が保持されている固定用部材。
【請求項２】
前記固定具を保持する固定具保持部材の保持部が、固定具保持部材の２個の縦壁部が切欠かれて形成されている請求項１に記載の固定用部材。
【請求項３】
２個の前記縦壁部から左右方向に水平板部が互いに反対方向に突設されている請求項１または２に記載の固定用部材。
【請求項４】
２個の前記縦壁部を両側から押さえる際に用いられる把持部が前記水平板部に設けられている請求項３に記載の固定用部材。
【請求項５】
請求項１〜４に記載の固定用部材が前記蟻溝部に挿入され、前記被固定部材が支持部材に固定されている簡易構造物。
【発明の詳細な説明】
【技術分野】
【０００１】
本発明は、駅前広場、ショッピングセンター、公園などに設置された簡易屋根構造物などの屋根を、その屋根を支持する支持材に取付ける際に用いたり、ベンチ材の座部を、その座部を支持する支持材に取付ける際に用いられる固定用部材、及びそれが用いられている簡易構造物に関するものである。
【背景技術】
【０００２】
従来、駅前広場、ショッピングセンター、公園などに設置されたシェルターやベンチ等の簡易構造物において、シェルターの梁材、屋根材やベンチの座部をそれらの支持部材に固定する場合、本出願人が出願した特許文献１に開示されている様に、桁梁２の下面には長手方向に受け金具用レール溝２１が２個形成され、桁梁２に前記受け金具５を固定するためのボルトの頭部を前記受け金具用レール溝２１に挿入して摺動自在となすことにより、支柱１の設置場所の変更にも対応可能になされている。また、桁梁２の内側面２２には長手方向に小梁用レール溝２３が１個形成され、桁梁２に前記小梁３を固定するためのボルトの頭を前記小梁用レール溝２３に挿入して摺動自在となすことにより、小梁３の位置変更にも対応可能となされている。更に、桁梁２の桁梁外側面２４にはその上部から突設され下方に折曲された係止部２５の先端が内方に折曲され、且つ桁梁外側面２４下部から突設され上方に折曲された受け部２６が形成されている。
【０００３】
また、本出願人が出願した特許文献２に開示されている様に、前記座部本体１１は、断面視において横長の長方形の前記芯材１１１の四隅が角を落とされアール状になされ、前記中空部１１２が長手方向に３個並設されて形成されるとともに、その下面には長手方向に連続して蟻溝状の取付溝１３が設けられている。つまり、前記取付溝１３は、開口部１３１の幅よりその奥側に設けられている内室部１３２の幅のほうが広くなされており、前記座部用金具１２に前記座部本体１１を固定する座部本体用固定ボルトＢ１のボルト頭の幅が前記開口部１３１の幅より広く、かつ前記内室部１３２の幅より狭くなされているので、前記座部本体用固定ボルトＢ１が前記開口部１３１から抜け出すことがなく、かつ前記取付溝１３内をスライド自在になされている。これにより、前記座部本体用固定ボルトＢ１を前記取付溝１３内をスライドさせ所望の位置に配置して、前記座部本体１１と座部用金具１２とを固定し、その座部固定用金具１２を前記脚部２に固定することにより、前記座部１を前記脚部２に固定することができるので、既設のベンチを座部のみ取り替えて補修する際などの場合、脚部間の距離が異なることがあっても、その都度特別な部材を用いることなく、同一の部材を用いてベンチを形成することができるようになされている。
【先行技術文献】
【特許文献】
【０００４】
【特許文献１】特開２００８−３８４６７
【特許文献２】特開２０１６−６７４５０
【発明の開示】
【発明が解決しようとする課題】
【０００５】
上記簡易屋根は、前記桁梁２に設けられている金具用レール溝２１に挿入されたボルトを所望の位置にスライドさせることにより、支柱１の設置場所の変更にも対応可能になされており、また、上記ベンチは、前記座部本体１１に設けられている取付溝１３に挿入された座部本体用固定ボルトＢ１をスライドさせ所望の位置に配置して、前記座部本体１１と座部用金具１２とを固定し、その座部固定用金具１２を前記脚部２に固定できるようになされているものの、ボルトや座部本体用固定ボルトＢ１である固定具に作業者の手や被固定部材等が接触すると、金具用レール溝２１や取付溝１３内で滑って移動し、再度、所望の位置に戻す作業を行わなければならず手間がかかるものであった。加えて、連続して設置される場合には、１個の固定具のみならず、複数個の固定具を全てやらなければならない状況も想定され、さらに効率良く作業できるものが要望されていた。
【０００６】
本発明は、前記の如き問題点を解消し、被固定部材を固定する固定具が溝内の所望の位置に移動可能であり、かつ一度その位置に配置した後、そこからずれにくくすることができる固定用部材及びそれが用いられている簡易構造物を提供せんとするものである。
【課題を解決するための手段】
【０００７】
上記目的を達成するために、本発明は次のような構成としている。
すなわち、本発明に係る固定用部材は、蟻溝部を備えた被固定部材を支持部材に固定する固定具が固定具保持部材に保持されて形成されている固定用部材であって、底板部から縦壁部が２個設けられ、この２個の縦壁部を両側から押さえると縦壁部が相互に近付き、放すと元に戻り前記蟻溝部の開口部を形成する２個の突部にそれぞれの前記縦壁部が当接して、前記固定具が蟻溝部の所望の位置に保持される様になされている固定具保持部材に、前記固定具が保持されていることを特徴とするものである。
【０００８】
また本発明に係る固定用部材は、前記固定具を保持する固定具保持部材の保持部を、固定具保持部材の２個の縦壁部を切欠いて形成してもよい。
【０００９】
また本発明に係る固定用部材は、２個の前記縦壁部から左右方向に水平板部を互いに反対方向に突設するようにしてもよい。
【００１０】
また本発明に係る固定用部材は、２個の前記縦壁部を両側から押さえる際に用いられる把持部を前記水平板部に設けるようにしてもよい。
【００１１】
また本発明に係る簡易構造物は、上記固定用部材が前記蟻溝部に挿入され、前記被固定部材が支持部材に固定されていることを特徴とするものである。
【発明の効果】
【００１２】
本発明に係る固定用部材によれば、底板部から縦壁部が２個設けられ、この２個の縦壁部を両側から押さえると縦壁部が相互に近付き、放すと元に戻り前記蟻溝部の開口部を形成する２個の突部にそれぞれの前記縦壁部が当接して、前記固定具が蟻溝部の所望の位置に保持される様になされている固定具保持部材に、前記固定具が保持されているので、被固定部材を固定する固定具が挿入される蟻溝内の所望の位置に移動可能であり、かつ一度その位置に配置した後、その位置からずれにくくすることができる。
【００１３】
また本発明に係る固定用部材によれば、前記固定具を保持する固定具保持部材の保持部を、固定具保持部材の２個の縦壁部を切欠いて形成しているので、固定用部材の構造を複雑なものにすることなく、固定具を保持する固定用部材をコストも安く製造することができる。
【００１４】
また本発明に係る固定用部材によれば、２個の前記縦壁部から左右方向に水平板部を互いに反対方向に突設するようにしているので、前記蟻溝部の突部に当接する様にしている２個の前記縦壁部と前記突部との摩擦力に加えて、この水平板部が前記蟻溝部の突部に引っ掛り、固定具を保持した固定用部材を蟻溝部の所望の位置に確実に配置できる。
【００１５】
また本発明に係る固定用部材によれば、２個の前記縦壁部を両側から押さえる際に用いられる把持部を前記水平板部に設けるようにしているので、前記蟻溝部の２個の突部と２個の前記縦壁とが離間する様に、つまり前記突部間の寸法より縦壁部間の寸法が小さくなる様に、縦壁部を両側から押さえてそれらを近付け、固定用部材を蟻溝の所望の位置に移動させるために、２個の縦壁部を両側から押さえる際、前記把持部を押えることで、押え付ける作業をよりやりやすくすることができ、前記固定用部材を蟻溝部の所望の位置に効率良く移動させることができる。
【００１６】
また本発明に係る簡易構造物によれば、上記固定用部材が前記蟻溝部に挿入され、前記被固定部材が支持部材に固定されているので、被固定部材を固定する固定用部材が蟻溝部内の所望の位置に移動可能であり、かつ一度その位置に配置した後、その位置からずれにくい固定用部材を用いて、効率良く組み上げることができる簡易構造物を提供することができる。
【図面の簡単な説明】
【００１７】
【図１】本発明に係る固定用部材を構成する固定具保持部材の一つの実施形態を示す斜視図である。
【図２】図１に示す固定具保持部材の正面図である。
【図３】図１に示す固定具保持部材の背面図である。
【図４】図１に示す固定具保持部材の左側面図である。
【図５】図１に示す固定具保持部材の右側面図である。
【図６】図１に示す固定具保持部材の平面図である。
【図７】図１に示す固定具保持部材の底面図である。
【図８】図２に示すＡ−Ａ断面図である。
【図９】図１に示す固定具保持部材に固定具を保持させた固定用部材の一つの実施形態を示す斜視図である。
【図１０】図９に示す固定用部材の正面図である。
【図１１】図９に示す固定用部材の背面図である。
【図１２】図９に示す固定用部材の左側面図である。
【図１３】図９に示す固定用部材の右側面図である。
【図１４】図９に示す固定用部材の平面図である。
【図１５】図９に示す固定用部材の底面図である。
【図１６】図１０に示すＢ−Ｂ断面図である。
【図１７】図９に示す固定用部材が用いられた簡易構造物の１つの実施形態を示す斜視図である。
【図１８】図９に示す固定用部材を蟻溝部に挿入し、蟻溝部内を移動させる状態を説明するための説明図（斜視図）である。
【図１９】図１８の要部を拡大した斜視図である。
【図２０】（ａ）は、図９に示す固定用部材を蟻溝部内を移動させるために把持部が押さえられ縦壁部と蟻溝部の突部とが離間した状態を示す正面図であり、（ｂ）は、図９に示す固定用部材を蟻溝部内の所望の位置に保持した状態を示す正面図である。
【発明を実施するための形態】
【００１８】
次に、本発明を実施するための形態について図面を参照し、具体的に説明する。なお、本実施形態はあくまでも本発明を理解するための一例を示したに過ぎず、各部の形状、構造、材質等に関し、本実施形態以外のバリエーションが、本発明の要旨を逸脱しない範囲内で許容されていることは言うまでもない。また、各図面に記載の前（正面）後（背面）左右上下の方向を明細書でも表記している。
【００１９】
図面において、１は本願発明に係る固定用部材Ｐを構成する固定具保持部材であり、底板部１１の端部から縦壁部１２が２個立設されて成り、この２個の縦壁部１２を両側から押さえると縦壁部１２が相互に近付き、放すと元に戻るようになされている。そして、本願発明に係る固定用部材Ｐは、蟻溝部２を備えた被固定部材を支持部材に固定する固定具が前記固定具保持部材１に保持されて形成されている。詳細には、前記被固定部材の蟻溝部２の開口部２１を形成する２個の突部２２にそれぞれの前記縦壁部１２が当接して、前記固定具が蟻溝部２の所望の位置に保持される様になされている固定具保持部材１に、前記固定具が保持されて固定用部材Ｐが形成されている。
【００２０】
なお、本明細書及び図面に示す本願発明の１つの実施形態においては、前記被固定部材が屋根材Ｙであり、支持部材がこの屋根材Ｙを支持する支柱１０であり、前記固定具保持部材１に保持される固定具は六角ナットＮ及び平ワッシャーＷであり、図１７に示すように、前記固定用部材１により屋根材Ｙが支柱１０に固定されて、簡易構造物であるシェルターＳが形成されているが、これに限定されるものではなく、例えば、被固定部材として座部、支持部材として座部支持部材が用いられ、これらを前記固定用部材１により固定し、簡易構造物としてベンチを形成するようにしてもよいし、また本実施形態に示す前記固定具である六角ナットＮ及び平ワッシャーＷに替えて、固定具として六角ボルトを用いる様にしてもよい。
【００２１】
前記固定具保持部材１においては、固定具である六角ナットＮ及び平ワッシャーＷを保持する保持部１３が、前記固定具保持部材の２個の縦壁部１２が縦方向に切欠かれることにより形成されると共に、その切欠が底板部１１まで連続して形成されている。そして、２個の前記縦壁部１２から左右方向に水平板部１４が互いに反対方向に突設されている。さらに、２個の前記縦壁部１２を両側から押さえる際に用いられる把持部１５が前記水平板部１４の端部が下方に折り曲げられることにより形成されている。また、前記保持部１３は、縦壁部１２の上部側に、前記六角ナットＮを収容し保持する六角ナット保持部１３１より切欠幅が広い部分である平ワッシャー保持部１３２が形成されており、固定具である前記平ワッシャーＷがその部分に収容されるようになされている。
【００２２】
前記固定用部材１は、２個の前記把持部１５を両側から押さえると２個の前記縦壁部１２が近付き、放すと元に戻り前記蟻溝部２の突部２２に当接する様に成されていればよく、金属材料、合成樹脂材料などそれを構成する材質は特には問わないが、前記簡易構造物の１つの実施形態である図１７に示すシェルターＳや、上述のベンチと言った屋外に用いられる簡易構造物の場合には、その耐久性及び復元性を考慮して、金属材料であり且つ弾性を備えたものである薄板状のバネ鋼で形成するのが好ましい。
【００２３】
前記支柱１０は、その上部に梁材Ｈが前方に突設されている。そして、複数個（本実施形態においては４個）の桁材Ｋが前記梁材Ｈに架け渡され、それらの桁材Ｋに複数個の屋根材Ｙが並列されて取付けられている。そして、前記屋根材Ｙは、その中央上面側に蟻溝部２が長手方向に設けられている。
【００２４】
前記蟻溝部２は、長手方向に上方に開口した開口部２１を形成する２個の突部２２と、この突部２２の下側に開口部２１の開口幅より広く形成された固定具収容部２３を備えており、前記屋根材Ｙを桁材Ｋに取付ける際に用いる固定具である六角ナットＮと平ワッシャーＷとを収容する固定具収容部２３とを備えている。そして、本実施形態においては、１個の前記屋根材Ｙあたり、前記固定具収容部２３に４個の六角ナットＮと平ワッシャーＷとを保持した４個の固定用部材１を蟻溝部２に挿入し、それらをボルトで固定して、前記屋根材Ｙを桁材Ｋに取付け、その桁材Ｋが梁材Ｈに取付けて簡易構造物であるシェルターＳが形成されている。
【００２５】
次に図１８、１９、２０を用いて、屋根材Ｙの蟻溝部２に固定用部材１挿入し、蟻溝部２内を移動させる状態を説明する。
屋根材Ｙの蟻溝部２の開口部２１の幅より固定用部材１の２個の縦壁部１２の幅を小さくするために、六角ナットＮと平ワッシャーＷとが保持された固定用部材１の把持部１５を両側から押え図面において矢印で示す方向に力を加え、その状態を保持したままで固定用部材Ｐを蟻溝部２に挿入し、固定用部材Ｐを蟻溝部の所望の位置まで移動させ、その把持部１５を押さえている前記固定用部材１に加えている押圧力を開放すると、２個の前記縦壁部１２が元の位置まで戻る途中で前記蟻溝部の突部２２に当接して、固定用部材１が蟻溝部２に保持される。
【符号の説明】
【００２６】
１    固定具保持部材
１１  底板部
１２  縦壁部
１３  保持部
１３１  六角ナット保持部
１３２  平ワッシャー保持部
１４  水平板部
１５  把持部
２    蟻溝部
２１  開口部
２２  突部
２３  固定具収容部
Ｐ    固定具用部材
Ｎ    六角ナット
Ｗ    平ワッシャー
Ｙ    屋根材
１０    支柱
Ｓ    シェルター
Ｈ    梁材
Ｋ    桁材
【図１】
2019143791.tif 000003
【図２】
2019143791.tif 000004
【図３】
2019143791.tif 000005
【図４】
2019143791.tif 000006
【図５】
2019143791.tif 000007
【図６】
2019143791.tif 000008
【図７】
2019143791.tif 000009
【図８】
2019143791.tif 000010
【図９】
2019143791.tif 000011
【図１０】
2019143791.tif 000012
【図１１】
2019143791.tif 000013
【図１２】
2019143791.tif 000014
【図１３】
2019143791.tif 000015
【図１４】
2019143791.tif 000016
【図１５】
2019143791.tif 000017
【図１６】
2019143791.tif 000018
【図１７】
2019143791.tif 000019
【図１８】
2019143791.tif 000020
【図１９】
2019143791.tif 000021
【図２０】
2019143791.tif 000022